(57)【特許請求の範囲】
【請求項１】
縦材に横架材の端部が結合する位置に手摺支柱をブラケットを介して取付ける手摺の取付装置に於て、上記ブラケットが手摺支柱に基端を結合した水平な支持板と、支持板の外端に任意の間隔をあけながら相対向して起立する一対の係止片とからなり、支持板には外方に開放する抱持溝と、上記抱持溝に連通する長溝とを形成し、上記各係止片は垂直片と、垂直片から抱持溝側に折り曲げた水平片とを有し、各垂直片の下部と水平片の端部とにそれぞれ弯曲した支持面を形成している手摺の取付装置。
【請求項２】
支持板の外周に補強板を起立し、この補強板を係止片の垂直片に連設している請求項１の手摺の取付装置。
【発明の詳細な説明】
【０００１】
【発明の属する技術分野】
本発明は、建築現場，土木工事現場において使用される枠組足場に取付けられる手摺の取付装置に関する。
【０００２】
【従来の技術】
一般に建築現場，土木工事現場では枠組足場が設置され、この枠組足場が設置され、この枠組足場上で歩行したり、諸作業を行なう。
【０００３】
枠組足場は前後一対の縦材と、縦建材間に架設した横架材とで建枠を構成し、この建枠を多数横方向に列設し、横架材間に足場板を設置し、更に横方向に隣接する建材間にＸ字状のプレスと水平な手摺を並設し、足場板上での歩行や諸作業の安全を図っている。
【０００４】
他方、枠組足場は上下方向にも建枠を起立して櫓状に組付けている。この場合には下方にあらかじめ組付けられている建枠に対して上方の建枠を差し込んで起立し、その後この上方の建枠にブレスや手摺を組付ける。しかし、この上方の建枠を組付けたり、ブレスや手摺を組付ける時には最上段の足場板の周囲には安全を図る手摺等が存在しないので歩行や諸作業が非常に危険となる。
【０００５】
そこで最近は、あらかじめ最上段の足場板に対応して親綱支柱に結合した親綱で支えられながら、作業者が上段の建枠の組付け、この建枠に対するブレスや他の手摺の設置作業を行なっている。
【０００６】
しかして、上記のように下方の建枠に対し上段の建枠を組付ける場合、下方の建枠の縦材に上段の建枠の縦材をスペーサを介して差し込み、更に下方の縦材上部に設けている出没自在な屈曲したピン状の止め具を上下の縦材とスペーサ間に嵌入して上下の縦材の抜け止めを図っている。あるいはハンドルを備えた止め具を介して上記と同様に上下の縦材とスペーサとを結合している。
【０００７】
【発明が解決しようとする課題】
しかしながら、上記のように上下の建枠における縦材を上下に結合する場合、ピン状の止め具、ハンドル式の止め具を使用し、あるいは各メーカの製品によってその止め具がまちまちであるから、手摺支柱側のブラケットを建枠に結合しようとする時上記の止め具が干渉してブラケットを取付けられない場合が生じている。
【０００８】
そこで、本発明の目的は、上下の縦材を結合する止め具があってもこれに干渉することなく手摺支柱側のブラケットを建枠に結合できる手摺の取付装置を提供することである。
【０００９】
【課題を解決するための手段】
上記の目的を達成するため、本発明の一つの手段は、縦材に横架材の端部が結合する位置に手摺支柱をブラケットを介して取付ける手摺の取付装置に於て、上記ブラケットが手摺支柱に基端を結合した水平な支持板と、支持板の外端に任意の間隔をあけながら相対向して起立する一対の係止片とからなり、支持板には外方に開放する抱持溝と、上記抱持溝に連通する長溝とを形成し、上記各係止片は垂直片と、垂直片から抱持溝側に折り曲げた水平片とを有し、各垂直片の下部と水平片の端部とにそれぞれ弯曲した支持面を形成していることを特徴とするものである。
【００１０】
この場合、支持板の外周に補強板を起立し、この補強板を係止片の垂直片に連設しているのが好ましい。
【００１３】
【発明の実施の形態】
以下、本発明の実施の形態を図にもとづいて説明する。
【００１４】
本発明、図３，図６に示すように、縦材１と縦材１に結合した横架材２とからなる建枠３に手摺４を取付ける手摺の取付装置である。手摺４は建枠３に最上部に先行手摺として取付けても良く、建枠４に取付け後そのまま固定の手摺として使用しても良い。更に詳しく述べると手摺の取付装置Ａの一つの実施の形態が図３に示されている。
【００１５】
これは、縦材１に横架材２の端部が結合する位置に手摺支柱４をブラケットを介して取付ける手摺の取付装置である。そして図１（Ａ）（Ｂ）（Ｃ）に示すように、上記ブラケット８が手摺支柱４に基端を結合した水平な支持板５と、支持板５の外端に任意の間隔Ｌをあけながら相対向して起立する一対の係止片６，６とからなっている。更に、支持板５には外方に開放する弯曲した抱持溝７と、上記抱持溝７に連通する矩形の長溝８とを形成している。上記各係止片６は垂直片６ａと、垂直片６ａから抱持溝７側に折り曲げた水平片６ｂとを有し、各垂直片６ａの下部と水平片６ｂの端部とにそれぞれ弯曲した支持面９，１０を形成している。
【００１６】
支持板５は水平な板体のみでも良いが、支持板５の外周に補強板１１を起立し、この補強板１１を係止片６の垂直片６ａに連設してブラケットＢ全体を補強するのが好ましい。
【００１７】
図２に示すように、縦材１は上端にロッド状のスペーサ１８を取付けて上方に一部を起立している。このスペーサ１８には上段の縦材１の下部が挿入され、上段の縦材１とスペーサ１８は出没自在なばね式の屈曲したピン状の止め具１９で結合されるようになっている。
【００１８】
手摺４は一対の手摺支柱１４，１４と、手摺支柱１４，１４間に着脱自在に結合した上下一対の平行な手摺枠１５，１５とで構成され、手摺支柱１４には上記のブラケットＡと、下方のブラケットＣが設けられている。手摺支柱１４，１４は上記のブラケットＢを介した縦材１と横架材２に取り付けられ、更に手摺支柱１４の下方はブラケットＣを介して縦材１に結合されている。
【００１９】
図３，図５に示すように、手摺支柱１４の上方には先端に三角錐状のストッパ１６ａを有する抜け止めピン１６が設けられている。各手摺枠１５の両端は偏平に押しつぶされた支持片１５ａを有し、各支持片１５ａにはＴ字状に形成した取付孔１７が形成され、この取付孔１７を抜け止めピン１６に差し込んで手摺枠１５を手摺支柱１４に結合している。手摺枠１５を取り付ける時、取付孔１７の中央に最初抜け止めピン１６を挿入し、次いで、手摺枠１５を横方向にスライドする。これにより上記ピン１６が取付孔１７の奥に侵入して手摺枠１５はピン１６のストッパ１６で係止されて抜けなくなる。
【００２０】
下方のブラケットＣは手摺支柱１４に基端を結合した板状のブラケット本体２０と、本体２０に起立したガイド２２と、ガイド２２内に挿入した楔２１とで構成されている。本体の端部にはフック片２０ａと抱持溝２３とを備え、抱持溝２３を縦材１に嵌合させながら楔２１を打ち込むと、この楔２１の側面と抱持溝２３とで縦材１を挾持し、ブラケットＣが縦材１に結合されることにより手摺支柱１４の下部が縦材１に結合して支えられる。
【００２１】
手摺４を建枠３の最上段に取付ける場合には下方の足場板上で作業者が行なう。この場合、先ず手摺支柱１４を最初に縦材１に結合するが、この際、中間のブラケットＢの抱持溝７をスペーサ１８と下方の縦材１に上方から差し込み、次いで係止片６の垂直片６ａにおける支持面９を横架材２上に係合させ、同じく水平片６ｂの支持面１０を縦材１の外面に係合させる。ここで注目すべきことは、図１（Ａ）に示すように、ブラケットＢを上方から差し込む時に下方の縦材１に設けたピン状の止め具１９は係止片６，６間の間隔Ｌによる隙間と、支持板５の長溝８を通過し、ブラケットＢをこの止め具１９と干渉すること無く下降させ、縦材１と横架材２の結合する位置に取り付けることができる。
【００２２】
次にブラケットＢで手摺支柱１４を支えた状態で下方のブラケットＣを縦材１に結合し、上下のブラケットＢとで手摺支柱１４を固定する。更に一対の手摺支柱１，１４間に支持枠１５，１５を結合する。
【００２３】
このように手摺４が下方の建枠３に結合した後に横架材２に足場板Ｐを設置し（図３）、次いで手摺４で作業者の安全を図りながら上段の建材３の組付けやブレスの組付け作業を行なう。上記の手摺４は上段の建材３を組付ける前には先行手摺として利用され、組付後には上方の建材３に対する固定の手摺として使用される。
【００２４】
図６乃至図８は、課題を解決するための手段における他の実施の形態に係る手摺の取付装置Ｄを示す。この手摺の取付装置Ｄを利用した手摺４も上記の場合と同じく先行の手摺として使用されると共に組付後は固定の手摺として使用される。
【００２５】
手摺の取付装置は、図３の実施の形態と同じく、縦材１に横架材２の端部が結合する位置に手摺支柱１４をブラケットＥを介して取付ける手摺の取付装置である。
【００２６】
図６（Ａ）（Ｂ）（Ｃ）に示すように、上記ブラケットＢが手摺支柱１４に基端を結合した水平な支持板２４と、支持板２４の外端から垂設した係止片２５とからなっている。支持板２４には取付孔２６を形成し、係止片２５は小径片２５ａと小径片２５ａの下方に一体に連設した大径片２５ｂとを有し、小径片２５ａの内壁には取付孔２６側に向けて突出するリブ２７を設けている。更に、大径片２５ｂの下部には弯曲した係止溝２８が形成されている。更に支持板２４の下面に補強板２９が垂設されている。
【００２７】
建枠３の縦材１は、図２のものと若干異なり、上下方向に連設する縦材１，１はスペーサ１８を介して結合されると共にハンドル３０（図８）を備えた止め具３１（図７）を介して結合されている。
【００２８】
手摺４を取付ける場合には、先ずブラケットＥにおける支持板２４の取付孔２６を縦材１に挿入しながらブラケットＥと手摺支柱１４を下降させ、係止片２５の係止溝２８を横架材２上に当接させ、同じくリブ２７の端面を縦材１の外面に当接させる。次いで、下方のブラケットＣを介して上記と同じく縦材１に手摺支柱１４を結合する。
【００２９】
上記のように、手摺支柱１４を組付けた後には図８に示すように、係止片２５は上部の小径片２５ａを有しているので、上段の縦材１を組付ける時にハンドル３０を回動してもハンドル３０はブラケットＣと干渉しない。その他の構造，作用，効果は図２，図３の場合と同じである。
【００３０】
【発明の効果】
本発明によれば、次の効果がある。
【００３１】
(1) 請求項１，２の発明によれば、ブラケットの支持板に外方に開放された抱持溝と長溝が形成されているので、ブラケットを縦材に上方から差し込んだ時上下の縦材を結合する止め具が抱持溝と長溝とを貫通するので止め具に干渉することなくブラケットを装着でき、従って手摺支柱をスムースに組付けできる。
【００３２】
(2) 同じく、請求項３，４の発明によれば、ブラケットにおける係止片が上方に小径片を備えているので、ブラケットを縦材に組付けた後に上下の縦材を結合する際、ハンドルを備えた止め具があってもこのハンドルは小径片によって回転方向の空間が大きくとれるのでハンドルがブラケットと干渉せず上下の縦材の結合をスムースに行なえる。
【図面の簡単な説明】
【図１】（Ａ）本発明に係る手摺の取付装置におけるブラケットの平面図である。
（Ｂ）同じく縦断面図である。
（Ｃ）同じく側面図である。
【図２】建枠に手摺支柱と取り付けた正面図である。
【図３】手摺の側面図である。
【図４】下側ブラケットの平面図である。
【図５】手摺枠の端部の拡大平面図である。
【図６】（Ａ）他の実施の形態に係る手摺の取付装置のブラケットの平面図である。
（Ｂ）同じく縦断面図である。
（Ｃ）同じく側面図である。
【図７】建枠に手摺支柱を取り付けた正面図である。
【図８】手摺の側面図である。
【符号の説明】
１  縦材
２  横架材
５，２４  支持板
６，２５  係止片
６ａ  垂直片
６ｂ  水平片
８  長溝
９，１０  支持面
１１  補強板
１４  手摺支柱
２５ａ  小径片
２５ｂ  大径片
２６  取付孔
２７  リブ
Ａ，Ｂ，Ｃ，Ｄ  ブラケット
Ｌ  間隔
【図１】
0003926611.tif 000002
【図２】
0003926611.tif 000003
【図３】
0003926611.tif 000004
【図４】
0003926611.tif 000005
【図５】
0003926611.tif 000006
【図６】
0003926611.tif 000007
【図７】
0003926611.tif 000008
【図８】
0003926611.tif 000009